(57)【要約】【課題】簡単かつ確実に位置決めを行うことができる圧縮スリーブを提供する。【解決手段】アルミより線１０４ａ、１０４ｂの一部を取去り露出させた鋼心線１０２ａ、１０２ｂを挿入、圧縮し鋼心線同士を接続する鋼スリーブ１１と、鋼スリーブ１１の両側に位置するアルミより線１０４ａ、１０４ｂを接続するアルミスリーブ２１と、を有し、アルミスリーブ２１は、２分割された一対の分割スリーブ２１ａ、２１ｂで構成され、分割スリーブ２１ａの一端部には雄ねじ２５が、分割スリーブ２１ｂの一端部には雄ねじ２５に螺合する雌ねじ２７が設けられ、分割スリーブ２１ａは、雄ねじ２５を有する側の端部に内周面側に突出し、鋼心線１０２ａを露出させたアルミより線１０４ａの端部に係止する位置決め用のストッパー２８を有する。【選択図】図１
2013191420.tif 000002
【特許請求の範囲】
【請求項１】
心線部と該心線部の外周に配置された外層部とを有する同心より線からなる電線同士を接続する圧縮スリーブであって、
外層部の一部を取去り露出させた心線部を挿入、圧縮し心線部同士を接続する内スリーブと、
前記内スリーブ及び該内スリーブの両側に位置する外層部を挿通、圧縮し外層部同士を接続する外スリーブと、を有し、
前記外スリーブは、２分割された一対の分割スリーブで構成され、
前記分割スリーブは、一端部に互いを接続可能な接続手段を有し、いずれか一方の前記分割スリーブは、接続手段を有する側の端部に内周面側に突出し、心線部を露出させた前記外層部の端部に係止する位置決め用のストッパーを有することを特徴とする圧縮スリーブ。
【請求項２】
さらに前記内スリーブと前記外スリーブとの隙間を埋める充填材を備えることを特徴とする請求項１に記載の圧縮スリーブ。
【請求項３】
前記充填材は、端部に位置決め用のストッパーを有する２分割カラーであることを特徴とする請求項２に記載の圧縮スリーブ。
【請求項４】
前記分割スリーブのストッパーは、前記内スリーブの端部と心線部を露出させた前記外層部の端部との間、又は前記２分割カラーの端部と心線部を露出させた前記外層部の端部との間に隙間なく嵌り込むことを特徴とする請求項１又は３に記載の圧縮スリーブ。
【請求項５】
前記電線が、鋼心アルミより線であり、
前記内スリーブが、鋼心線を接続する鋼スリーブであり、
前記外スリーブが、アルミスリーブであることを特徴とする請求項１から４のいずれか１に記載の圧縮スリーブ。
【発明の詳細な説明】
【技術分野】
【０００１】
本発明は、電線同士を接続する圧縮スリーブに関し、特に電線同士を接続するときの圧縮スリーブの位置決めを容易に行うことができる圧縮スリーブに関する。
【背景技術】
【０００２】
架空送電線などの電線同士を接続する装置として圧縮スリーブがある。代表的な圧縮スリーブである、鋼心アルミより線同士を接続するＡＣＳＲ系圧縮形直線スリーブは、中心の鋼心線を圧縮接続する鋼スリーブと、アルミより線を圧縮接続するアルミスリーブとを備える。
【０００３】
ＡＣＳＲ系圧縮形直線スリーブを用いて一対の鋼心アルミより線を接続する場合には、まず、端末のアルミより線を所定の長さ切断し、鋼心線を露出させた状態で、一方の鋼心アルミより線にアルミスリーブを通す。鋼スリーブに一対の鋼心線を挿入し、鋼スリーブを圧縮し、鋼心線同士を接続する。その後、アルミスリーブを鋼スリーブ側に移動させ、アルミスリーブと鋼スリーブとの中心を一致させ、アルミスリーブを圧縮し一対の鋼心アルミより線の接続が完了する。
【０００４】
圧縮スリーブで接続した後の引張荷重は、十分な大きさ、例えば使用電線の引張荷重の９５％以上を確保しなければならないが、アルミスリーブと鋼スリーブとの中心位置がずれる偏心圧縮等が発生すると十分な強度を確保することができなくなる。アルミスリーブをセットするときアルミスリーブは、鋼スリーブ全体を覆うため、鋼スリーブを視認することができず、アルミスリーブと鋼スリーブとの中心を一致させることは簡単ではない。偏心圧縮に関しては従来から問題視されており、これまでに偏心圧縮を防止する方法も多く提案されている。
【０００５】
従来から多く用いられている偏心防止の方法としては、挿入する電線にアルミスリーブの長さの１／２の点をマーキングする方法（マーキング法）、鋼スリーブとアルミより線との間隙上にアルミスリーブのピン孔を合わせることにより偏心を防止する方法（アルミピン法）がある。
【０００６】
この他、アルミピン法に類似の方法として鋼スリーブに結合ピンが挿入する貫通孔を、アルミスリーブには結合ピンが挿入する挿入孔を設け、鋼スリーブの貫通孔とアルミスリーブの挿入孔との位置を合わせ、結合ピンを挿入することで鋼スリーブの位置決めを行うと共に位置ずれを防止する方法がある（例えば特許文献１参照）。また鋼スリーブの端部とアルミより線の端部との間にリング状の固定部を嵌め、固定部に連結した直径０．５ｍｍ以下の紐（長尺部）に覆い被せるように圧縮スリーブを移動させ、圧縮スリーブの端部を長尺部の端部と合せることで圧縮スリーブの位置決めを行う治具も開発されている（例えば特許文献２参照）。
【先行技術文献】
【特許文献】
【０００７】
【特許文献１】特開２００２−３５４６５２号公報
【特許文献２】特開２０１１−２２９２４２号公報
【発明の概要】
【発明が解決しようとする課題】
【０００８】
偏心圧縮を防止する方法のうち、マーキング法は、作業員による寸法の測り間違い、マーキング位置の間違いにより偏心圧縮が生じる恐れがある。アルミピン法と特許文献１に記載の方法は、アルミピン又は結合ピンの紛失、アルミピン又は結合ピンの挿入忘れにより偏心圧縮が生じる恐れがある。
【０００９】
特許文献２に記載の位置決め治具を用いた方法の場合、圧縮スリーブ以外に位置決め治具を準備する必要がある。さらに位置決め治具は、圧縮スリーブが圧縮されると回収することができず、１つの圧縮スリーブに対して１つの位置決め治具が必要となる。さらにアルミピン又は結合ピンと同様に、挿入忘れにより偏心圧縮が生じる恐れがある。
【００１０】
本発明の目的は、簡単かつ確実に位置決めを行うことができる圧縮スリーブを提供することである。
【課題を解決するための手段】
【００１１】
本発明は、心線部と該心線部の外周に配置された外層部とを有する同心より線からなる電線同士を接続する圧縮スリーブであって、外層部の一部を取去り露出させた心線部を挿入、圧縮し心線部同士を接続する内スリーブと、前記内スリーブ及び該内スリーブの両側に位置する外層部を挿通、圧縮し外層部同士を接続する外スリーブと、を有し、前記外スリーブは、２分割された一対の分割スリーブで構成され、前記分割スリーブは、一端部に互いを接続可能な接続手段を有し、いずれか一方の前記分割スリーブは、接続手段を有する側の端部に内周面側に突出し、心線部を露出させた前記外層部の端部に係止する位置決め用のストッパーを有することを特徴とする圧縮スリーブである。
【００１２】
本発明の圧縮スリーブは、外スリーブが２分割された一対の分割スリーブで構成され、分割スリーブは、一端部に互いを接続可能な接続手段を有し、いずれか一方の分割スリーブの接続手段を有する側の端部に、内周面側に突出し心線部を露出させた外層部の端部に係止する、外スリーブと内スリーブとの中心を一致させる位置決め用のストッパーが設けられているので、ストッパーを心線部を露出させた外層部の端部に係止することで簡単かつ確実に外スリーブの位置決めを行うことができる。ストッパーが分割スリーブに設けられているので、従来の結合ピンのように紛失、挿入忘れなどの問題もなく確実に圧縮スリーブの位置決めを行うことができる。
【００１３】
また本発明は、前記圧縮スリーブにおいて、さらに前記内スリーブと前記外スリーブとの隙間を埋める充填材を備えることを特徴とする。
【００１４】
本発明によれば、本発明の圧縮スリーブにおいて、内スリーブと外スリーブとの隙間を埋める充填材を使用することができるので、電線の断面積の大小によらず幅広い電線の接続に本発明の圧縮スリーブを使用することができる。
【００１５】
また本発明は、前記圧縮スリーブにおいて、前記充填材は、端部に位置決め用のストッパーを有する２分割カラーであることを特徴とする。
【００１６】
本発明によれば、内スリーブと外スリーブとの隙間を埋める充填材に２分割カラーを使用することができるので、断面積の大きい電線にも本発明の圧縮スリーブを好適に使用することができる。
【００１７】
また本発明は、前記圧縮スリーブにおいて、前記分割スリーブのストッパーは、前記内スリーブの端部と心線部を露出させた前記外層部の端部との間、又は前記２分割カラーの端部と心線部を露出させた前記外層部の端部との間に隙間なく嵌り込むことを特徴とする。
【００１８】
本発明によれば、分割スリーブのストッパーが、内スリーブの端部と心線部を露出させた外層部の端部との間に、２分割カラーを装着するときは２分割カラーの端部と心線部を露出させた外層部の端部との間に隙間なく嵌り込むので、確実に外スリーブの位置決めを行うことができる。
【００１９】
また本発明は、前記圧縮スリーブにおいて、前記電線が、鋼心アルミより線であり、前記内スリーブが、鋼心線を接続する鋼スリーブであり、前記外スリーブが、アルミスリーブであることを特徴とする。
【００２０】
本発明の圧縮スリーブを鋼心アルミより線を接続する圧縮スリーブとして好適に使用することができる。
【発明の効果】
【００２１】
本発明の圧縮スリーブは、外スリーブが２分割された一対の分割スリーブで構成され、分割スリーブは、一端部に互いを接続可能な接続手段を有し、いずれか一方の分割スリーブの接続手段を有する側の端部に、内周面側に突出し心線部を露出させた外層部の端部に係止する、外スリーブと内スリーブとの中心を一致させる位置決め用のストッパーが設けられているので、ストッパーを心線部を露出させた外層部の端部に係止することで簡単かつ確実に外スリーブの位置決めを行うことができる。
【図面の簡単な説明】
【００２２】
【図１】本発明の第１実施形態である圧縮スリーブ１の構成を示す断面図である。
【図２】図１の圧縮スリーブ１の中央部の拡大図である。
【図３】図２の切断線Ａ−Ａ、切断線Ｂ−Ｂ、切断線Ｃ−Ｃの断面図である。
【図４】本発明の第２実施形態である圧縮スリーブ２の構成を示す中央部の断面図である。
【発明を実施するための形態】
【００２３】
図１は、本発明の第１実施形態である圧縮スリーブ１の構成を示す断面図である。図２は、圧縮スリーブ１の中央部の拡大図、図３は、図２の切断線Ａ−Ａ、切断線Ｂ−Ｂ、切断線Ｃ−Ｃの断面図である。図１から図３において、アルミスリーブ２１は圧縮前の状態である。以下、電線に鋼心アルミより線１００を使用し、２本の鋼心アルミより線１００ａ、１００ｂを直線的に接続する場合を例として、圧縮スリーブ１の構成、使用方法を説明する。
【００２４】
圧縮スリーブ１は、２本の鋼心アルミより線１００（１００ａ、１００ｂ）を直線的に接続する装置である。鋼心アルミより線１００は、中心部に鋼より線（鋼心線）１０２（１０２ａ、１０２ｂ）を配置し、その周囲にアルミより線１０４（１０４ａ、１０４ｂ）をより合せたものであり、圧縮スリーブ１は、心線である鋼心線１０２ａ、１０２ｂ同士を接続する鋼スリーブ１１と、外層部であるアルミより線１０４ａ、１０４ｂ同士を接続するアルミスリーブ２１（２１ａ、２１ｂ）と、鋼スリーブ１１とアルミスリーブ２１との隙間を埋める２分割アルミカラー４１（４１ａ、４１ｂ）とを有する。
【００２５】
鋼スリーブ１１は、円筒状部材であり、中心部に隔壁１３が設けられ、隔壁１３により左右に仕切られている。鋼スリーブ１１の内径は、鋼心線１０２の外径よりも僅かに大きく、隔壁１３から端部１５ａ、隔壁１３から端部１５ｂまでの長さは同じで、左右対称である。
【００２６】
アルミスリーブ２１は、左右一対のアルミスリーブ２１ａ、２１ｂで構成され、アルミより線１０４ａ、１０４ｂを接続するときは、左右一対のアルミスリーブ２１ａ、２１ｂは、連結され一体化した状態で使用する。
【００２７】
アルミスリーブ２１ａ、２１ｂは共に円筒状部材であり、内径はアルミより線１０４の外径よりも僅かに大きい。アルミスリーブ２１ａは、アルミスリーブ２１ｂに比較して長さが短いが、アルミスリーブ２１ａ、２１ｂを連結した状態で鋼スリーブ１１及び鋼スリーブ１１の両側のアルミより線１０４ａ、１０４ｂを十分に覆うことができる長さを有する。
【００２８】
アルミスリーブ２１ａの一端部には、外周面を削り落とす形で段差部２３ａが設けられ、段差部２３ａの外周面に雄ねじ２５が設けられている。アルミスリーブ２１ｂの一端部には、内周面を削り落とす形で段差部２３ｂが設けられ、段差部２３ｂの内周にアルミスリーブ２１ａの雄ねじ２５に螺合する雌ねじ２７が設けられている。この雄ねじ２５及び雌ねじ２７によりアルミスリーブ２１ａとアルミスリーブ２１ｂとを一体的に連結することができる。
【００２９】
さらにアルミスリーブ２１ａの段差部２３ａを有する側の端部内周には、アルミスリーブ２１ａの長手方向に直交し内側に向いたストッパー２８が設けられている。ストッパー２８は、連結したアルミスリーブ２１の中心と鋼スリーブ１１の中心とを一致させる位置決め用のストッパーである。ストッパー２８は、ストッパー２８をアルミより線１０４ａの端面に当接させた状態でアルミスリーブ２１ａとアルミスリーブ２１ｂとを連結すると、連結したアルミスリーブ２１の中心と鋼スリーブ１１の中心とが一致するように設けられている。
【００３０】
ストッパー２８は、厚さの薄い円盤の中心に貫通孔が設けられたリング形状を有する。ストッパー２８の中心部に穿設された貫通孔は、鋼心線１０２ａは挿通可能であるが、２分割アルミカラー４１及びアルミより線１０４ａは、挿通不能な大きさである。このためアルミスリーブ２１ａに鋼心線１０２ａを露出させた鋼心アルミより線１００ａを挿通すると、ストッパー２８がアルミより線１０４ａの端面に係止する。
【００３１】
ストッパー２８は、アルミスリーブ２１ａのみに設けられており、アルミスリーブ２１ｂには設けられていない。ストッパー２８は、アルミスリーブ２１ａの本体２４と一体的に形成しても、ストッパー２８と本体２４とを別々に製造し、後に段差部２３ａの端面に固着してもよい。
【００３２】
アルミスリーブ２１ｂには、アルミスリーブ２１を取付けたとき鋼スリーブ１１の中心と一致する位置に充填剤を充填するための充填孔３１が設けられている。充填孔３１は、アルミスリーブ２１ｂの外周面３３ｂから内周面３５ｂまで貫通した貫通孔であり、貫通孔には雌ねじが設けられている。充填孔３１は、充填剤を充填後、止め栓３７で塞がれる。
【００３３】
２分割アルミカラー４１は、鋼スリーブ１１とアルミスリーブ２１との隙間を埋める充填材であり、鋼スリーブ１１に覆い被せるように取付けられる。２分割アルミカラー４１は、外側が円柱状、内側が六角形の中空アルミカラーを、軸線を含むように長手方向に２分割した一対の２分割アルミカラー４１ａ、４１ｂからなる。ここでは一対の２分割アルミカラー４１ａ、４１ｂを突き合わせた状態で内側の形状が六角形となる２分割アルミカラー４１を示したが、２分割アルミカラー４１は、内側が六角形のものに限定されるものではない。
【００３４】
一対の２分割アルミカラー４１ａ、４１ｂは、同一の大きさ及び形態からなり、内側断面の大きさは、圧縮した鋼スリーブ１１の外周断面と略同一であり、長さは、鋼スリーブ１１よりも僅かに長い。また２分割アルミカラー４１ａ、４１ｂを組み合わせた状態で２分割アルミカラー４１の外径は、アルミより線１０４の外径よりも僅かに小さい。
【００３５】
一対の２分割アルミカラー４１ａ、４１ｂの両端部には長手方向に直交し内側に向いたストッパー４７ａ、４７ｂ、４９ａ、４９ｂが設けられ、ストッパー４７（４７ａ、４７ｂ）、４９（４９ａ、４９ｂ）の中心部には、鋼心線１０２ａ、１０２ｂを通すための半円状の溝が設けられている。このストッパー４７ａ、４７ｂ、４９ａ、４９ｂは、２分割アルミカラー４１ａ、４１ｂを鋼スリーブ１１に覆い被せるように取付けたとき、鋼スリーブ１１の端部１５ａ、１５ｂに係止する。これにより２分割アルミカラー４１ａ、４１ｂの位置が決まる。
【００３６】
圧縮スリーブ１を用いて２本の鋼心アルミより線１００ａ、１００ｂを接続する方法を説明する。各鋼心アルミより線１００ａ、１００ｂの外層部であるアルミより線１０４ａ、１０４ｂを端部から所定の長さ切断し、鋼心線１０２ａ、１０２ｂを露出させる。次に、段差部２３ａ、２３ｂが互いに内側を向くようにして、アルミスリーブ２１ａを鋼心アルミより線１００ａに、アルミスリーブ２１ｂを鋼心アルミより線１００ｂに通す。このときアルミスリーブ２１ａとアルミスリーブ２１ｂとが入れ替わっても問題ない。
【００３７】
鋼スリーブ１１を圧縮ダイス（図示を省略）にかませ、左右の鋼心線１０２ａ、１０２ｂを鋼スリーブ１１に挿入する。このとき鋼心線１０２ａ、１０２ｂの先端部が、鋼スリーブ１１の中央の隔壁１３に当接するまで挿入する。これにより鋼スリーブ１１と２本の鋼心アルミより線１００ａ、１００ｂの位置が決まる。鋼心アルミより線１００ａ、１００ｂを水平に保持し鋼スリーブ１１の中央を圧縮し、その後、端部１５ａ、１５ｂ方向に向かって順次、鋼スリーブ１１を圧縮し、２本の鋼心線１０２ａ、１０２ｂを接続する。圧縮後の鋼スリーブ１１の端部１５ａとアルミより線１０４ａの端部との間隔、及び鋼スリーブ１１の端部１５ｂとアルミより線１０４ｂの端部との間隔は、通常１０ｍｍ以下である。
【００３８】
次に、圧縮した鋼スリーブ１１を覆うように２分割アルミカラー４１ａ、４１ｂを被せる。２分割アルミカラー４１ａ、４１ｂは、両端部にストッパー４７、４９を有するので、２分割アルミカラー４１ａ、４１ｂを取付けた後は、長手方向に移動することはない。これらにより２分割アルミカラー４１ａ、４１ｂの位置は簡単に決まる。一対の２分割アルミカラー４１ａ、４１ｂは、同じ大きさでかつ同じ形態であり、左右対称に形成されているので、上下左右を気にすることなく取付けることができる。
【００３９】
この状態でアルミスリーブ２１ａのストッパー２８は、アルミより線１０４ａの端部と２分割アルミカラー４１の端部との間に殆ど隙間なく挟まれているので、アルミスリーブ２１ａは、アルミより線１０４ａ側へも２分割アルミカラー４１側へも殆ど移動することができない。これによりアルミスリーブ２１ａの位置が決まる。
【００４０】
次に、２分割アルミカラー４１を覆うようにアルミスリーブ２１ｂを移動させ、アルミスリーブ２１ａの雄ねじ２５とアルミスリーブ２１ｂの雌ねじ２７を螺合させ、アルミスリーブ２１ａとアルミスリーブ２１ｂとを連結させる。これにより自然にアルミスリーブ２１の中心と鋼スリーブ１１の中心とが一致する。
【００４１】
次に、アルミスリーブ２１ｂの充填孔３１から充填剤を充填し、充填後、充填孔３１に止め栓３７をねじ込む。鋼心アルミより線１００ａ、１００ｂを水平に保持しアルミスリーブ２１のアルミスリーブ２１ａとアルミスリーブ２１ｂとの螺合部（連結部）を圧縮し、その後、端部方向に向かって順次、アルミスリーブ２１を圧縮し、２本のアルミより線１０４ａ、１０４ｂを接続する。以上の操作より、２本の鋼心アルミより線１００ａ、１００ｂの接続が完了する。
【００４２】
上記のように圧縮スリーブ１は、鋼スリーブ１１が長手方向中心部に位置決め用の隔壁１３を備え、２分割アルミカラー４１が位置決め用のストッパー４７、４９を両端部に備え、さらにアルミスリーブ２１が位置決め用のストッパー２８を備えるので、従来問題となっていたアルミスリーブ２１の位置決めも含め、圧縮スリーブ１の位置決めを簡単かつ確実に行うことができる。
【００４３】
さらに圧縮スリーブ１は、従来の圧縮スリーブと異なり位置決めを行うための結合ピンを必要としないので、結合ピンの紛失、挿入忘れの心配もない。本実施形態の圧縮スリーブ１において、２分割アルミカラー４１の両端部にストッパー４７、４９が設けられているが、２分割アルミカラー４１の一方の端部にのみストッパー４７（４９）を設け、他方には、２分割アルミカラー４１を取付けた後に軟アルミ線を巻き付けてもよい。２分割アルミカラー４１の一方の端部にのみストッパー４７（４９）を設けるときも、２分割アルミカラー４１及びアルミスリーブ２１の取付け方向は特に問われない。
【００４４】
図４は、本発明の第２実施形態である圧縮スリーブ２の構成を示す中央部の断面図である。図１から図３と同様に、アルミスリーブ２１は、圧縮前の状態である。図１から図３に示す第１実施形態の圧縮スリーブ１と同一の構成には、同一の符号を付して説明を省略する。以下、電線に鋼心アルミより線１００を使用し、２本の鋼心アルミより線１００ａ、１００ｂを直線的に接続する場合を例として、第１実施形態の圧縮スリーブ１と異なる点を中心に説明する。
【００４５】
第２実施形態の圧縮スリーブ２も第１実施形態の圧縮スリーブ１と同様に、２本の鋼心アルミより線１００ａ、１００ｂを直線的に接続する装置であり、圧縮スリーブ２の基本的構成、使用方法、位置決めの要領も圧縮スリーブ１と同じである。第２実施形態の圧縮スリーブ２では、２分割アルミカラー４１を有しておらず、代わりに軟アルミ線６１が鋼スリーブ１１の外周を覆っている。
【００４６】
軟アルミ線６１は、２分割アルミカラー４１と同様に鋼スリーブ１１とアルミスリーブ２１ｂとの隙間を埋める充填材であり、第１実施形態の圧縮スリーブ１と同様に、鋼スリーブ１１を用いて２本の鋼心線１０２ａ、１０２ｂを接続した後に、鋼スリーブ１１の外周に巻き付ける。このとき鋼スリーブ１１の端部１５ａとアルミスリーブ２１ａのストッパー２８との隙間、鋼スリーブ１１の端部１５ｂとアルミより線１０４ｂとの隙間にも軟アルミ線６１を巻き付け、隙間を埋める。鋼スリーブ１１の端部１５ａとアルミスリーブ２１ａのストッパー２８との隙間を軟アルミ線６１で埋めることで、アルミスリーブ２１ａの位置が確実に決まる。
【００４７】
圧縮スリーブ２で用いるアルミスリーブ２１（２１ａ、２１ｂ）も圧縮スリーブ１で用いるアルミスリーブ２１（２１ａ、２１ｂ）と変わるところはない。このときアルミスリーブ２１ａのストッパー２８に穿設される貫通孔の大きさは、鋼心線１０２ａは挿通可能であるが、アルミより線１０４ａは挿通不能な大きさとすればよい。
【００４８】
圧縮スリーブ２の使用方法、２本の鋼心アルミより線１００ａ、１００ｂの接続要領は、２分割アルミカラー４１の代わりに軟アルミ線６１を使用する点を除けば、圧縮スリーブ１と同一であり、作用効果も圧縮スリーブ２と圧縮スリーブ１とで基本的に同じである。
【００４９】
心線部と該心線部の外周に配置された外層部とを有する同心より線からなる電線同士を接続する従来の圧縮スリーブにおいて、電線の断面積が小さいときには充填材である２分割アルミカラー４１及び／又は軟アルミ線６１が使用されていない。本実施形態に示す圧縮スリーブ１、２も従来の圧縮スリーブと同様の使い方ができる。
【００５０】
以上、２つの実施形態を用いて本発明の圧縮スリーブを説明したけれども、本発明の圧縮スリーブは、上記実施形態に限定されるものではない。また上記実施形態では、電線に鋼心アルミより線を使用する例を示したが、電線は鋼心アルミより線に限定されるものではなく、心線部と該心線部の外周に配置された外層部とを有する同心より線からなる電線同士の接続に本発明の圧縮スリーブを使用することができる。上記実施形態では、心線が鋼材であったため鋼スリーブを、外層部がアルミより線であったため２分割アルミカラー、アルミスリーブを使用するが、心線部及び外層部の材質が変われば、心線を接続するスリーブである内スリーブの材質には、心線の材質と同じか類似のものを、外層部を接続するスリーブである外スリーブの材質には、外層部の材質と同じか類似のものを使用すればよい。
【符号の説明】
【００５１】
１  圧縮スリーブ
２  圧縮スリーブ
１１  鋼スリーブ
１３  隔壁
１５ａ、１５ｂ  鋼スリーブの端部
２１、２１ａ、２１ｂ  アルミスリーブ
２３ａ、２３ｂ  段差部
２５  雄ねじ
２７  雌ねじ
２８  ストッパー
４１、４１ａ、４１ｂ  ２分割アルミカラー
４７、４７ａ、４７ｂ  ２分割アルミカラーのストッパー
４９、４９ａ、４９ｂ  ２分割アルミカラーのストッパー
６１  軟アルミ線
１００、１００ａ、１００ｂ  鋼心アルミより線
１０２、１０２ａ、１０２ｂ  鋼より線、鋼心線
１０４、１０４ａ、１０４ｂ  アルミより線
【図１】
2013191420.tif 000003
【図２】
2013191420.tif 000004
【図３】
2013191420.tif 000005
【図４】
2013191420.tif 000006